(57)【要約】【課題】コストを抑えつつ、日射量の変動による系統電圧の変動を抑えることが可能となる太陽光発電装置および太陽光発電システムを提供する。【解決手段】太陽電池と、前記太陽電池の出力が入力される電力変換装置と、を備え、前記電力変換装置は、前記太陽電池とは別である目標値設定用太陽電池の瞬時最大出力電力の値の少なくとも一つの所定期間における最低値に基づく目標値に、前記太陽電池の出力電力を追従制御する太陽光発電装置。【選択図】図１
2010117744.tif 000002
【特許請求の範囲】
【請求項１】
太陽電池と、前記太陽電池の出力が入力される電力変換装置と、を備え、
前記電力変換装置は、前記太陽電池とは別である目標値設定用太陽電池の瞬時最大出力電力の値の少なくとも一つの所定期間における最低値に基づく目標値に、前記太陽電池の出力電力を追従制御することを特徴とする太陽光発電装置。
【請求項２】
前記目標値は、前記目標値設定用太陽電池の瞬時最大出力電力の複数の所定期間における各最低値の平均値であることを特徴とする請求項１に記載の太陽光発電装置。
【請求項３】
前記目標値設定用太陽電池の瞬時最大出力電力が不安定であると判定された場合、前記電力変換装置は、前記太陽電池の出力電力を前記目標値に追従制御し、
前記目標値設定用太陽電池の瞬時最大出力電力が安定であると判定された場合、前記電力変換装置は、前記太陽電池の出力電力を最大点に追従制御する、ことを特徴とする請求項１または請求項２に記載の太陽光発電装置。
【請求項４】
前記目標値設定用太陽電池の瞬時最大出力電力が不安定であると判定された場合、前記電力変換装置は、前記太陽電池の出力電力を前記目標値に追従制御し、
前記目標値設定用太陽電池の瞬時最大出力電力が安定であると判定された場合、前記電力変換装置は、太陽電池の最大出力電力の前記所定期間より短い少なくとも一つの微小期間における最低値に基づく安定時目標値に、前記太陽電池の出力電力を追従制御することを特徴とする請求項１または請求項２に記載の太陽光発電装置。
【請求項５】
請求項１〜請求項４のいずれかに記載の太陽光発電装置において、前記太陽光発電装置とは別の太陽光発電装置が前記目標値設定用太陽電池を備えることを特徴とする太陽光発電装置。
【請求項６】
前記目標値設定用太陽電池の瞬時最大出力電力の値は、日射計の日射量検出信号から変換されたものであることを特徴とする請求項１〜請求項４のいずれかに記載の太陽光発電装置。
【請求項７】
前記目標値設定用太陽電池の瞬時最大出力電力の値は、太陽電池の短絡電流検出信号から変換されたものであることを特徴とする請求項１〜請求項４のいずれかに記載の太陽光発電装置。
【請求項８】
瞬時最大出力電力追従制御を行うマスター機としての太陽光発電装置と、少なくとも一つの請求項５に記載のスレーブ機としての太陽光発電装置と、を有することを特徴とする太陽光発電システム。
【請求項９】
日射計と、前記日射計の日射量検出信号を太陽電池の最大出力電力へ変換する変換装置と、少なくとも一つの請求項６に記載の太陽光発電装置と、を有することを特徴とする太陽光発電システム。
【請求項１０】
太陽電池と、前記太陽電池の短絡電流検出信号を太陽電池の最大出力電力へ変換する変換装置と、少なくとも一つの請求項７に記載の太陽光発電装置と、を有することを特徴とする太陽光発電システム。
【発明の詳細な説明】
【技術分野】
【０００１】
本発明は、太陽光発電装置および太陽光発電システムに関するものである。
【背景技術】
【０００２】
現在、太陽光発電装置が発電所等である同一サイトに対して、および各住宅等である近接サイトに対して大規模導入された場合に、系統電圧が変動することが問題視されている。
【０００３】
ここで、図６に、太陽電池に入射する太陽光の日射量が変動した場合の太陽電池の出力電圧−出力電力特性を示す。このような特性を太陽電池が有するため、太陽光発電システムでは、太陽電池の出力電力を最大にすべく太陽電池の動作点を制御するいわゆるＭＰＰＴ制御（最大電力点追従制御）を行っている（ＭＰＰＴ制御については、例えば、特許文献１〜３を参照）。しかし、図６のように特性が日射量の変動により変化するので、ＭＰＰＴ制御による太陽電池の出力電力も変動してしまい、この変動が上記系統電圧の変動を引き起こしていた。
【特許文献１】特開平８−１７９８４０号公報
【特許文献２】特開２０００−２０１５０号公報
【特許文献３】特開２００４−２９５６８８号公報
【発明の開示】
【発明が解決しようとする課題】
【０００４】
日射量の変動による系統電圧の変動を調整する装置としては、現在一般的に、電圧調整器（ＳＶＣ）、電力貯蔵装置（ＥＤＬＣ、鉛電池、ＮａＳ電池、ニッケル水素電池、超伝導電池等）、アクティブフィルタが用いられる。しかし、これらの装置を導入すると、コスト上昇の問題点があった。
【０００５】
上記問題点を鑑み、本発明は、コストを抑えつつ、日射量の変動による系統電圧の変動を抑えることが可能となる太陽光発電装置および太陽光発電システムを提供することを目的とする。
【課題を解決するための手段】
【０００６】
上記目的を達成するために本発明の太陽光発電装置は、太陽電池と、前記太陽電池の出力が入力される電力変換装置と、を備え、前記電力変換装置は、前記太陽電池とは別である目標値設定用太陽電池の瞬時最大出力電力の値の少なくとも一つの所定期間における最低値に基づく目標値に、前記太陽電池の出力電力を追従制御する構成とした（以下、第１の構成と呼ぶ）。
【０００７】
このような構成によれば、日射量が変動した場合でも、太陽電池の出力電力がほぼ一定値に制御されるので、系統電圧の変動を抑えることが可能となる。また、電力貯蔵装置等の追加なしに系統電圧の変動を抑えることができ、コストを抑えることができる。
【０００８】
また、本発明の太陽光発電装置は、第１の構成において、前記目標値は、前記目標値設定用太陽電池の瞬時最大出力電力の複数の所定期間における各最低値の平均値である構成とした（以下、第２の構成と呼ぶ）。これにより、なるべく発電効率を高めることができる。
【０００９】
また、本発明の太陽光発電装置は、第１の構成または第２の構成において、前記目標値設定用太陽電池の瞬時最大出力電力が不安定であると判定された場合、前記電力変換装置は、前記太陽電池の出力電力を前記目標値に追従制御し、
前記目標値設定用太陽電池の瞬時最大出力電力が安定であると判定された場合、前記電力変換装置は、前記太陽電池の出力電力を最大点に追従制御する構成とした（以下、第３の構成と呼ぶ）。
【００１０】
このような構成によれば、日射量の変動が大きい場合、太陽電池の最大出力電力が不安定であると判定され、太陽電池の出力電力がほぼ一定値に制御されるので、系統電圧の変動を抑えられる。また、日射量の変動が小さい場合は、太陽電池の最大出力電力が安定であると判定され、太陽電池の出力電力が最大点を追従するよう制御されるので、発電効率を高めることができる。このとき、日射量の変動が小さいので、太陽電池の出力電力の変動は小さく、系統電圧の変動も小さい。
【００１１】
また、本発明の太陽光発電装置は、第１の構成または第２の構成において、前記目標値設定用太陽電池の瞬時最大出力電力が不安定であると判定された場合、前記電力変換装置は、前記太陽電池の出力電力を前記目標値に追従制御し、
前記目標値設定用太陽電池の瞬時最大出力電力が安定であると判定された場合、前記電力変換装置は、太陽電池の最大出力電力の前記所定期間より短い少なくとも一つの微小期間における最低値に基づく安定時目標値に、前記太陽電池の出力電力を追従制御する構成とした（以下、第４の構成と呼ぶ）。
【００１２】
このような構成によれば、日射量の変動が大きい場合、太陽電池の最大出力電力が不安定であると判定され、太陽電池の出力電力がほぼ一定値に制御されるので、系統電圧の変動を抑えられる。また、日射量の変動が小さい場合は、太陽電池の最大出力電力が安定であると判定され、太陽電池の出力電力はほぼ最大点に追従するので、発電効率を高めることができる。また、日射量の変動が小さいので、太陽電池の出力電力の変動は小さく、系統電圧の変動も小さい。
【００１３】
また、本発明の太陽光発電装置は、第１の構成〜第４の構成のいずれかの太陽光発電装置において、前記太陽光発電装置とは別の太陽光発電装置が前記目標値設定用太陽電池を備える構成とした（以下、第５の構成と呼ぶ）。
【００１４】
また、本発明の太陽光発電装置は、第１の構成〜第４の構成のいずれかにおいて、前記目標値設定用太陽電池の瞬時最大出力電力の値は、日射計の日射量検出信号から変換されたものである構成とした（以下、第６の構成と呼ぶ）。
【００１５】
また、本発明の太陽光発電装置は、第１の構成〜第４の構成のいずれかにおいて、前記目標値設定用太陽電池の瞬時最大出力電力の値は、太陽電池の短絡電流検出信号から変換されたものである構成とした（以下、第７の構成と呼ぶ）。
【００１６】
また、上記目的を達成するため、本発明の太陽光発電システムは、瞬時最大出力電力追従制御を行うマスター機としての太陽光発電装置と、少なくとも一つの第５の構成のスレーブ機としての太陽光発電装置と、を有する構成とした。
【００１７】
また、上記目的を達成するため、本発明の太陽光発電システムは、日射計と、前記日射計の日射量検出信号を太陽電池の最大出力電力へ変換する変換装置と、少なくとも一つの請求項６に記載の太陽光発電装置と、を有する構成とした。
【００１８】
また、上記目的を達成するため、本発明の太陽光発電システムは、太陽電池と、前記太陽電池の短絡電流検出信号を太陽電池の最大出力電力へ変換する変換装置と、少なくとも一つの第７の構成の太陽光発電装置と、を有する構成とした。
【発明の効果】
【００１９】
本発明の太陽光発電装置および太陽光発電システムによれば、コストを抑えつつ、日射量の変動による系統電圧の変動を抑えることが可能となる。
【発明を実施するための最良の形態】
【００２０】
以下、本発明の実施形態について図面を参照して説明する。
【００２１】
（第１実施形態）
図１に、本発明の第１実施形態に係る太陽光発電システムの概略構成図を示す。本太陽光発電システムは、太陽光発電装置であるマスター機１０と、少なくとも一つの太陽光発電装置であるスレーブ機２０とを備える。マスター機１０およびスレーブ機２０は、太陽電池モジュール１、電流検出部２、電圧検出部３、インバータ回路４、インバータ制御回路５を備える。電力変換装置は、電流検出部２、電圧検出部３、インバータ回路４、インバータ制御回路５から構成され、太陽電池アレイ１から入力される直流電圧を交流電圧に変換して系統側へ出力する。
【００２２】
太陽電池アレイ１は、複数の太陽電池セルからなるモジュールを直並列に接続することで構成され、太陽光を受けて直流電圧を出力する。電流検出部２は、太陽電池アレイ１から出力される電流を検出する。電圧検出部３は、太陽電池アレイ１から出力される直流電圧を検出する。インバータ回路４は、不図示のスイッチング素子等を有し、太陽電池アレイ１からの直流電圧を交流電圧に変換して系統側へ出力する。インバータ制御回路５は、不図示のＣＰＵ等を有し、インバータ回路４にスイッチング信号を送信しインバータ回路４をスイッチング制御する。また、マスター機１０のインバータ制御回路５およびスレーブ機２０のインバータ制御回路５は通信可能に接続される。
【００２３】
このような構成である本発明の第１実施形態に係る太陽光発電システムにおける系統電圧安定化のための電力制御について図２のフローチャートを用いて説明する。
【００２４】
まず、マスター機１０において、ステップＳ１０１で、インバータ制御回路５は、電圧検出部３の検出信号より太陽電池アレイ１の出力電圧が所定の閾値以上であるか判定し、閾値以上でなければ（ステップＳ１０１のＮ）、再びステップＳ１０１の判定を行う。
【００２５】
一方、閾値以上であれば（ステップＳ１０１のＹ）、ステップＳ１０２に進み、インバータ制御回路５は、電圧検出部３により検出された太陽電池アレイ１の出力電圧を目標電圧として太陽電池アレイ１の出力電圧が目標電圧で一定となるようインバータ回路４をスイッチング制御する直流電圧一定制御を開始する。そして、ステップＳ１０３で、インバータ制御回路５は、電流検出部２および電圧検出部３の検出信号に基づき検出される太陽電池アレイ１の出力電力が所定の閾値Ｐ１以下であるか判定し、Ｐ１以下であれば（ステップＳ１０３のＹ）、ステップＳ１０１に戻り、ステップＳ１０１で閾値以上であれば、直流電圧一定制御を継続し、ステップＳ１０１で閾値以上でなければ、直流電圧一定制御を停止する。
【００２６】
ステップＳ１０３で、出力電力がＰ１より大きくなれば（ステップＳ１０３のＮ）、ステップＳ１０４に進み、インバータ制御回路５は、電流検出部２および電圧検出部３の検出信号に基づき検出される太陽電池アレイ１の出力電力が所定の閾値Ｐ２（＞Ｐ１）以上であるか判定する。もし、Ｐ２以上でなければ（ステップＳ１０４のＮ）、ステップＳ１０２に戻り、直流電圧一定制御を継続する。一方、Ｐ２以上となれば（ステップＳ１０４のＹ）、ステップＳ１０５に進む。
【００２７】
ステップＳ１０５で、インバータ制御回路５は、タイマをリセットする。そして、ステップＳ１０６で、インバータ制御回路５は、ＭＰＰＴ制御を開始する。
【００２８】
ＭＰＰＴ制御の方法の一例について説明すると、インバータ制御回路５は、まず、電流検出部２および電圧検出部３の検出信号により検出された太陽電池アレイ１の出力電圧および出力電力を初期電圧、初期電力とする。そして、インバータ制御回路５は、初期電圧を増加させた電圧を目標電圧とし、太陽電池アレイ１の出力電圧が目標電圧となるようインバータ回路４をスイッチング制御し、そのときの電流検出部２および電圧検出部３の検出信号により太陽電池アレイ１の出力電力を検出する。検出された出力電力が初期電力より増加していれば、インバータ制御回路５は、目標電圧を増加し出力電力を検出することを出力電力が減少方向に変化するまで繰り返し、そのときの目標電圧より一つ手前の目標電圧でインバータ回路４をスイッチング制御する。また、検出された出力電力が初期電力より減少していれば、インバータ制御回路５は、目標電圧を減少し出力電力を検出することを出力電力が減少方向に変化するまで繰り返し、そのときの目標電圧より一つ手前の目標電圧でインバータ回路４をスイッチング制御する。これにより、出力電力のほぼ最大点に追従するよう太陽電池アレイ１の動作点を制御することができる。
【００２９】
ステップＳ１０６の後、ステップＳ１０７で、インバータ制御回路５は、電流検出部２および電圧検出部３の検出信号により検出された出力電力が閾値Ｐ２以上であるか判定し、もしＰ２以上でなければ（ステップＳ１０７のＮ）、インバータ制御回路５は、そのときの電圧検出部３により検出される太陽電池アレイ１の出力電圧を目標電圧とする直流電圧一定制御に切替える。
【００３０】
一方、出力電力がＰ２以上であれば（ステップＳ１０７のＹ）、ステップＳ１０８に進み、インバータ制御回路５は、タイマリセットから所定の期間Ｔだけ経過したか判定し、もし経過していなければ（ステップＳ１０８のＮ）、ステップＳ１０７に戻る。
【００３１】
一方、期間Ｔだけ経過していれば（ステップＳ１０８のＹ）、ステップＳ１０９に進み、インバータ制御回路５は、ＭＰＰＴ制御による出力電力の期間Ｔにおける最大値と最低値との差が所定の閾値以下であるか判定し、閾値以下であれば出力電力は安定しているとして（ステップＳ１０９のＹ）、ステップＳ１１０に進む。ステップＳ１１０では、インバータ制御回路５は、スレーブ機２０のインバータ制御回路５にＭＰＰＴ制御指令を行う。
【００３２】
また、ステップＳ１０９で、出力電力の最大値と最低値との差が閾値以下でなければ、出力電力が不安定であるとして（ステップＳ１０９のＮ）、ステップＳ１１１に進む。ステップＳ１１１では、インバータ制御回路５は、期間Ｔを分割した各期間ｔにおけるＭＰＰＴ制御による出力電力の各最低値の平均値を算出し、算出された平均値をスレーブ機２０のインバータ制御回路５に送信すると共に、スレーブ機２０のインバータ制御回路５にＭＰＰＴ最低値移動平均制御指令を行う。
【００３３】
ステップＳ１１０またはステップＳ１１１の後、ステップＳ１１２で、インバータ制御回路５は、タイマをリセットし、ステップＳ１０７に戻る。
【００３４】
次に、スレーブ機２０の動作を説明する。まず、ステップＳ２０１で、インバータ制御回路５は、電圧検出部３の検出信号より太陽電池アレイ１の出力電圧が所定の閾値以上であるか判定し、閾値以上でなければ（ステップＳ２０１のＮ）、再びステップＳ２０１の判定を行う。
【００３５】
一方、閾値以上であれば（ステップＳ２０１のＹ）、ステップＳ２０２に進み、インバータ制御回路５は、電圧検出部３により検出された太陽電池アレイ１の出力電圧を目標電圧として太陽電池アレイ１の出力電圧が目標電圧で一定となるようインバータ回路４をスイッチング制御する直流電圧一定制御を開始する。そして、ステップＳ２０３で、インバータ制御回路５は、電流検出部２および電圧検出部３の検出信号に基づき検出される太陽電池アレイ１の出力電力が所定の閾値Ｐ２以下であるか判定し、Ｐ２以下であれば（ステップＳ２０３のＹ）、ステップＳ２０１に戻り、ステップＳ２０１で閾値以上であれば、直流電圧一定制御を継続し、ステップＳ２０１で閾値以上でなければ、直流電圧一定制御を停止する。
【００３６】
ステップＳ２０３で、出力電力が閾値Ｐ２以下でなければ（ステップＳ２０３のＮ）、ステップＳ２０４に進み、インバータ制御回路５は、マスター機１０から指令を受けているか判定し、指令を受けていなければ（ステップＳ２０４のＮ）、ステップＳ２０２に戻り、直流電圧一定制御を継続する。
【００３７】
一方、指令を受けていれば（ステップＳ２０４のＹ）、ステップＳ２０５に進み、インバータ制御回路５は、指令に応じた電力制御を開始する。指令がもしＭＰＰＴ制御指令であれば、インバータ制御回路５は、ＭＰＰＴ制御を開始する。また、指令がもしＭＰＰＴ最低値移動平均制御指令であれば、インバータ制御回路５は、ＭＰＰＴ最低値移動平均制御を開始する。
【００３８】
ここで、ＭＰＰＴ最低値移動平均制御について説明すると、インバータ制御回路５は、まず、電流検出部２および電圧検出部３の検出信号により検出された太陽電池アレイ１の出力電圧および出力電力を初期電圧、初期電力とする。そして、インバータ制御回路５は、初期電圧を増加させた電圧を目標電圧とし、太陽電池アレイ１の出力電圧が目標電圧となるようインバータ回路４をスイッチング制御し、そのときの電流検出部２および電圧検出部３の検出信号により太陽電池アレイ１の出力電力を検出する。検出された出力電力が初期電力よりも、上記ステップＳ１１１でマスター機１０から送信された平均値に近づいていれば、インバータ制御回路５は、目標電圧を増加し出力電力を検出することを出力電力が上記平均値の所定の誤差範囲内に入るまで繰り返し、そのときの目標電圧でインバータ回路４をスイッチング制御する。また、検出された出力電力が初期電力よりも、上記平均値から遠ざかっていれば、インバータ制御回路５は、目標電圧を減少し出力電力を検出することを出力電力が上記平均値の所定の誤差範囲内に入るまで繰り返し、そのときの目標電圧でインバータ回路４をスイッチング制御する。これにより、出力電力を上記平均値にほぼ追従させるよう太陽電池アレイ１の動作点を制御することができる。なお、検出される出力電力が減少する方向に変化するまで目標電圧を増加または減少させても出力電力が上記平均値の所定の誤差範囲内に入らなければ、そのときの目標電圧の一つ手前の目標電圧でインバータ回路４をスイッチング制御する。これにより、出力電力が上記平均値に達し得ない場合に、出力電力がほぼ最大点となるよう動作点を制御できる。
【００３９】
ステップＳ２０５の後、ステップＳ２０６で、インバータ制御回路５は、電流検出部２および電圧検出部３の検出信号により検出された出力電力が閾値Ｐ２以下であるか判定し、もしＰ２以下でなければ（ステップＳ２０６のＮ）、ステップＳ２０５に戻り、指令に応じた電力制御を継続する。また、もしＰ２以下であれば（ステップＳ２０６のＹ）、インバータ制御回路５は、指令に応じた電力制御を停止し、ステップＳ２０１に戻る。
【００４０】
図３に、図２で説明した電力制御の制御例を示す。図３の上段は、マスター機１０におけるＭＰＰＴ制御による出力電力の推移であり、日射量変動が大きい場合を示す。タイマリセットから期間Ｔが経過すると、期間Ｔにおける出力電力は不安定であるとして、期間Ｔを分割した各期間ｔにおける出力電力の各最低値（図３の白丸）の平均値（図３の横方向点線）が算出され、マスター機１０からスレーブ機２０へ平均値が送信されると共にＭＰＰＴ最低値移動平均制御指令がされる。スレーブ機２０では、送信された平均値を目標とするＭＰＰＴ最低値移動平均制御が行われ、出力電力がほぼ目標に追従する。これにより、日射量変動が大きい場合でも、スレーブ機２０において出力電力の変動を抑えることができ、系統電圧の変動も抑えることが可能となる。また、電力貯蔵装置等が不要であり、コストを抑えることができる。
【００４１】
また、日射量変動が小さく、マスター機１０におけるＭＰＰＴ制御による出力電力の変動が小さいと、期間Ｔにおける出力電力は安定しているとして、マスター機１０からスレーブ機２０へＭＰＰＴ制御指令がされ、スレーブ機２０においてＭＰＰＴ制御が行われる。このＭＰＰＴ制御の間も日射量変動は小さい場合が多いので、出力電力の変動ひいては系統電圧の変動を抑えつつ発電効率を高めることができる。
【００４２】
本実施形態の変形例として、図２のステップＳ１０９で出力電圧が安定である場合、ステップＳ１１０のＭＰＰＴ制御指令は行わず、期間Ｔの間、Ｔを分割した所定の微小期間（上記期間ｔより短い期間）経過ごとに、その所定期間をさらに分割した各微小期間における出力電力の各最低値の平均値をマスター機１０からスレーブ機２０へ送信する。そして、それと共に、マスター機１０からスレーブ機２０へＭＰＰＴ最低値移動平均制御指令を行うようにしてもよい。これにより、スレーブ機２０では、指令を受けるたびに送信された平均値を目標とするＭＰＰＴ最低値移動平均制御が行われる。これにより、スレーブ機２０においてＭＰＰＴ制御とほぼ同等の制御が行え、発電効率を高めることができる。
【００４３】
（第２実施形態）
図４に、本発明の第２実施形態に係る太陽光発電システムの概略構成を示す。本太陽光発電システムは、日射計６、指令装置７、少なくとも一つの太陽光発電装置３０を備えている。太陽光発電装置３０の構成は第１実施形態で述べたものと同様である。
【００４４】
日射計６は、太陽光を受けて日射量検出信号を指令装置７に送信する。指令装置７は、日射量と太陽電池アレイの最大出力電力との関係を表すテーブルを有し、このテーブルを用いて日射計６からの日射量検出信号を最大出力電力データに逐次変換する。変換された最大出力電力データは、第１実施形態におけるマスター機１０のＭＰＰＴ制御による出力電力データとほぼ同等であるので、第１実施形態で説明したマスター機１０の制御と同様の制御を指令装置７は行い、各種指令を太陽光発電装置３０に行う。そして、太陽光発電装置３０は、スレーブ機２０と同様の制御を行えばよい。
【００４５】
（第３実施形態）
図５に、本発明の第３実施形態に係る太陽光発電システムの概略構成を示す。本太陽光発電システムは、太陽電池セル８、指令装置９、少なくとも一つの太陽光発電装置３０を備えている。太陽光発電装置３０の構成は第１実施形態で述べたものと同様である。
【００４６】
太陽電池セル８の短絡電流検出信号が指令装置９へ送信される。指令装置９は、短絡電流値と太陽電池アレイの最大出力電力との関係を表すテーブルを有し、このテーブルを用いて短絡電流検出信号を最大出力電力データに逐次変換する。変換された最大出力電力データは、第１実施形態におけるマスター機１０のＭＰＰＴ制御による出力電力データとほぼ同等であるので、第１実施形態で説明したマスター機１０の制御と同様の制御を指令装置９は行い、各種指令を太陽光発電装置３０に行う。そして、太陽光発電装置３０は、スレーブ機２０と同様の制御を行えばよい。
【００４７】
なお、以上で説明した実施形態はあくまで本発明を実施するに当たっての一例であり、本発明の趣旨を逸脱しない程度のあらゆる変更が可能である。例えば、第１実施形態における図２のステップＳ１１１で、出力電力の平均値を送信する代わりに、期間Ｔにおける出力電力の最低値をスレーブ機２０へ送信して指令するようにし、スレーブ機２０では、送信された最低値に出力電力がほぼ追従するような制御を行うようにしてもよい。
【００４８】
また、前述した第１実施形態の変形例において、出力電力の平均値を送信する代わりに、期間Ｔを分割した所定の微小期間（上記期間ｔより短い期間）における出力電力の最低値をスレーブ機２０へ送信して指令するようにし、スレーブ機２０では、送信された最低値に出力電力がほぼ追従するような制御を行うようにしてもよい。
【００４９】
また、以上説明した実施形態における電力変換装置は、太陽電池が出力する直流電力を交流電力に変換して系統側へ出力するインバータ回路を備えていたが、マイクログリッドなどの様に系統が直流送電の場合は、直流−直流変換回路のような昇圧回路を備える電力変換装置を用いてもよい。
【図面の簡単な説明】
【００５０】
【図１】は、本発明の第１実施形態に係る太陽光発電システムの概略構成図である。
【図２】は、本発明の第１実施形態に係る太陽光発電システムの電力制御に関するフローチャートである。
【図３】は、本発明の第１実施形態に係る太陽光発電システムの電力制御例を示す図である。
【図４】は、本発明の第２実施形態に係る太陽光発電システムの概略構成図である。
【図５】は、本発明の第３実施形態に係る太陽光発電システムの概略構成図である。
【図６】は、太陽電池の出力電圧−出力電力特性を示す図である。
【符号の説明】
【００５１】
１    太陽電池アレイ
２    電流検出部
３    電圧検出部
４    インバータ回路
５    インバータ制御回路
６    日射計
７    指令装置
８    太陽電池セル
９    指令装置
１０    マスター機
２０    スレーブ機
３０    太陽光発電装置
【図１】
2010117744.tif 000003
【図２】
2010117744.tif 000004
【図４】
2010117744.tif 000005
【図５】
2010117744.tif 000006
【図６】
2010117744.tif 000007
【図３】
2010117744.tif 000008